(57)【要約】【課題】耐震性の向上を効果的に図れるキャスクの耐震装置を提供する。【解決手段】使用済燃料集合体が入ったキャニスタ１を貯蔵するキャスク４において、前記キャニスタ１をキャスク内底部のスライディングパッド６上に載置すると共に、同キャニスタ１の周面とはガタを有して、衝撃緩和材１０を前記キャスク４の内壁面に適当数取り付けた。【選択図】　図１
2004028939.tif 000002
【特許請求の範囲】
【請求項１】
使用済燃料集合体が入ったキャニスタを貯蔵するキャスクにおいて、前記キャニスタをキャスク内底部のスライディングパッド上に載置すると共に、同キャニスタの周面とはガタを有して、衝撃緩和材を前記キャスクの内壁面に適当数取り付けたことを特徴とするキャスクの耐震装置。
【請求項２】
使用済燃料集合体が入ったキャニスタを貯蔵するキャスクにおいて、前記キャニスタをキャスク内底部のスライディングパッド上に載置すると共に、同キャニスタの周面を支持するための制振機能を有する接触治具を前記キャスクの内壁面に適当数取り付けたことを特徴とするキャスクの耐震装置。
【請求項３】
前記スライディングパッドは黒煙入りの鉄板であることを特徴とする請求項１又は２記載のキャスクの耐震装置。
【請求項４】
使用済燃料集合体が入ったキャニスタを貯蔵するキャスクにおいて、前記キャニスタをキャスク内底部の支持台上に点支持すると共に、同キャニスタの周面を支持するための制振機能を有する接触治具を前記キャスクの内壁面に適当数取り付けたことを特徴とするキャスクの耐震装置。
【請求項５】
前記キャニスタはキャスク内底部の支持台上に点支持されると共にばねにより３点支持されることを特徴とする請求項４記載のキャスクの耐震装置。
【発明の詳細な説明】
【０００１】
【発明の属する技術分野】
本発明は、使用済核燃料集合体を収容・密閉してなるキャニスタを貯蔵したキャスクの耐震装置に関する。
【０００２】
【従来の技術と発明が解決しようとする課題】
核燃料サイクルの終期にあって、燃焼を終えて使用できなくなった核燃料集合体を使用済燃料集合体と称するが、この使用済燃料集合体はＦＰなどの高放射能物質を含んでおり、熱的に冷却する必要があることから、キャニスタに収容された状態で貯蔵用キャスクに収納され、原子力発電所の冷却ピットで約６０年間冷却状態で貯蔵される。その後、この使用済燃料集合体は、貯蔵用キャスクから輸送用キャスクに移され、トラック等で再処理施設に搬送貯蔵される。
【０００３】
前記キャスクの従来構造を図５に示す。使用済燃料集合体が入ったキャニスタ１が、コンクリート２とこのコンクリート２を被覆する鉄板３Ａ，３Ｂとからなるキャスク（外層）４内に、複数枚の板材が放射状に配置してなる支持部材５上へ載置するようにして挿入され、キャスク４及び建屋で放射能の遮蔽を行うと共に、キャスク４及び建屋の自然通気により冷却している。
【０００４】
そして、地震時における前記キャニスタ１の振動応答を最少限にするため、同キャニスタ１の周囲に位置して、当該キャニスタ１とは数ミリメートルのガタ（隙間）を有して鋼製等のサポート６が前記キャスク４の内壁面に適当数取り付けられている。
【０００５】
ところが、前記サポート６はキャスク４とキャニスタ１とのガタを可及的に小さくして地震時の衝突荷重を小さくするように施されているのみであり、特に積極的な耐震、制振構造とはなっていないので、耐震性に未だ問題があった。
【０００６】
本発明は、前述した状況に鑑みてなされたもので、耐震性の向上を効果的に図れるキャスクの耐震装置を提供することを目的とする。
【０００７】
【課題を解決するための手段】
斯かる目的を達成するための本発明に係るキャスクの耐震装置は、使用済燃料集合体が入ったキャニスタを貯蔵するキャスクにおいて、前記キャニスタをキャスク内底部のスライディングパッド上に載置すると共に、同キャニスタの周面とはガタを有して、衝撃緩和材を前記キャスクの内壁面に適当数取り付けたことを特徴とする。
【０００８】
また、使用済燃料集合体が入ったキャニスタを貯蔵するキャスクにおいて、前記キャニスタをキャスク内底部のスライディングパッド上に載置すると共に、同キャニスタの周面を支持するための制振機能を有する接触治具を前記キャスクの内壁面に適当数取り付けたことを特徴とする。
【０００９】
また、前記スライディングパッドは黒煙入りの鉄板であることを特徴とする。
【００１０】
また、使用済燃料集合体が入ったキャニスタを貯蔵するキャスクにおいて、前記キャニスタをキャスク内底部の支持台上に点支持すると共に、同キャニスタの周面を支持するための制振機能を有する接触治具を前記キャスクの内壁面に適当数取り付けたことを特徴とする。
【００１１】
また、前記キャニスタはキャスク内底部の支持台上に点支持されると共にばねにより３点支持されることを特徴とする。
【００１２】
【発明の実施の形態】
以下、本発明に係るキャスクの耐震装置を実施例により図面を用いて詳細に説明する。
【００１３】
［第１実施例］
図１は本発明の第１実施例を示すキャスクの縦断面図である。尚、本図において、図５と同一部材には同一符号を付して説明する。
【００１４】
図示のように、使用済燃料集合体が入った円筒状のキャニスタ１が、コンクリート２とこのコンクリート２を被覆する鉄板３Ａ，３Ｂとからなる円筒状のキャスク（外層）４内に挿入・貯蔵され、キャスク４及び建屋で放射能の遮蔽を行うと共に、キャスク４及び建屋の自然通気により冷却している。
【００１５】
前記キャニスタ１は、キャスク内底部において複数枚の板材が放射状に配置してなる支持部材５上に複数個のスライディングパッド６を介して載置されると共に、同キャニスタ１の周面とはガタ（所定の隙間）を有して、前記キャスク４の内壁面に上下方向と周方向に適当数取り付けた衝撃緩和材１０で支持されるようになっている。即ち、前記ガタの設定により、キャニスタ１は通常衝撃緩和材１０に接触せず、振動した場合に衝撃緩和材１０に衝突するのである。
【００１６】
前記支持部材５は、キャニスタ１との間に対流冷却を行う冷却空気の流通路を形成すると共に、ハンドリング時にキャニスタ１が落下した場合等の異常時には、変形によって落下エネルギを吸収するショックアブソーバとしての機能も備えている。
【００１７】
前記スライディングパッド６は、摩擦抵抗をより小さくするため、鉄板６ａの中に小ブロックの黒煙６ｂを複数個封入してなる。しかし、鉄板６ａの表面が滑らかであれば特に黒煙６ｂを封入しなくても良い。
【００１８】
前記衝撃緩和材１０として、ゴム又はダンパ材（鉛、銅、アルミニウム等軟金属の塑性材料や粘性ダンパ及びエアダンパ等）が用いられる。
【００１９】
このように構成されるため、地震時においては、キャニスタ１はキャスク４内においてスライディングパッド６上をすべり、衝撃緩和材１０を介してキャスク４と衝突することから、キャニスタ１自身の振動質量を衝突型制振装置の質量として利用できる。
【００２０】
そして、前記スライディングパッド６は前記キャニスタ１を滑りやすくし、前記衝撃緩和材１０はキャニスタ１衝突時の衝撃を緩和することから、キャスク４全体としての地震応答は低減され、耐震性が向上される。
【００２１】
［第２実施例］
図２は本発明の第２実施例を示すキャスクの縦断面図である。尚、本図において、図５と同一部材には同一符号を付して説明する。
【００２２】
これは、第１実施例における衝撃緩和材１０に代えて、キャニスタ１の周面を制振機能を有する接触治具２０で支持するようにした例である。
【００２３】
前記接触治具２０として、ばね２１とダンパ２２（粘性ダンパやエアダンパ等）と当て板２３とから構成されるものやゴム２４と当て板２３とから構成されるもの等が用いられる。
【００２４】
これによれば、地震時においては、ばね２１とダンパ２２等で構成される接触治具２０により、キャニスタ１はスライディングパッド６上にて振動応答し、動吸振器（マス、ばね、ダンパからなる１自由度系の制振装置）として作用するので、キャスク４全体としての地震応答は低減され、耐震性が向上される。また、接触治具２０にゴム２４が利用されている場合には、ゴム２４のばね剛性と共に、ゴム２４自身の減衰特性（粘性特性）が利用できる。
【００２５】
［第３実施例］
図３は本発明の第３実施例を示すキャスクの縦断面図である。尚、本図において、図５と同一部材には同一符号を付して説明する。
【００２６】
これは、第２実施例におけるスライディングパッド６に代えて、キャニスタ１をキャスク４内底部の半球状の支持台３０上に、キャニスタ１の下面に形成した球面座３１を介して点支持するようにした例である。
【００２７】
これによれば、第２実施例と同様の作用・効果に加えて、前記点支持によりキャニスタ１が低振動レベルから振動でき、より一層耐震性が向上されるという利点がある。
【００２８】
［第４実施例］
図４は本発明の第４実施例を示すキャスクの縦断面図である。尚、本図において、図５と同一部材には同一符号を付して説明する。
【００２９】
これは、第３実施例における支持台３０に加えて、キャニスタ１を支持台３０の周囲に３本宛配したばね４０により３点支持するようにした例である。
【００３０】
これによれば、第３実施例と同様の作用・効果に加えて、前記３点支持によるキャニスタ１の自立性で、通常時に、キャニスタ１の周面と接触治具２０との間に微小隙間（ガタ）を有し、又は全接触治具２０に対して均等な圧力で接するように支持でき、偏って接触治具２０に接することによるキャニスタ１の腐食等が未然に回避できるという利点がある。
【００３１】
尚、本発明は上記各実施例に限定されず、本発明の要旨を逸脱しない範囲で衝撃緩和材１０、接触治具２０及び支持台３０の形状変更等各種変更が可能であることはいうまでもない。また、キャスクは上記各実施例の如くコンクリートキャスクに限らず、金属キャスク等他のキャスクにも本発明は適用することができる。
【００３２】
【発明の効果】
以上、詳細に説明したように、本発明の請求項１に係る発明は、使用済燃料集合体が入ったキャニスタを貯蔵するキャスクにおいて、前記キャニスタをキャスク内底部のスライディングパッド上に載置すると共に、同キャニスタの周面とはガタを有して、衝撃緩和材を前記キャスクの内壁面に適当数取り付けたことを特徴とするので、キャニスタ自身の振動質量を衝突型制振装置の質量として利用でき、キャスク全体としての地震応答が効果的に低減され、耐震性が向上される。
【００３３】
また、請求項２に係る発明は、使用済燃料集合体が入ったキャニスタを貯蔵するキャスクにおいて、前記キャニスタをキャスク内底部のスライディングパッド上に載置すると共に、同キャニスタの周面を支持するための制振機能を有する接触治具を前記キャスクの内壁面に適当数取り付けたことを特徴とするので、キャニスタが動吸振器として作用し、キャスク全体としての地震応答は低減され、耐震性が向上される。
【００３４】
また、請求項３に係る発明は、前記スライディングパッドは黒煙入りの鉄板であることを特徴とするので、スライディングパッドの摩擦係数の低減化が図れる。
【００３５】
また、請求項４に係る発明は、使用済燃料集合体が入ったキャニスタを貯蔵するキャスクにおいて、前記キャニスタをキャスク内底部の支持台上に点支持すると共に、同キャニスタの周面を支持するための制振機能を有する接触治具を前記キャスクの内壁面に適当数取り付けたことを特徴とするので、請求項２と同様の作用・効果に加えて、前記点支持によりキャニスタが低振動レベルから振動でき、より一層耐震性が向上されるという利点が得られる。
【００３６】
また、請求項５に係る発明は、前記キャニスタはキャスク内底部の支持台上に点支持されると共にばねにより３点支持されることを特徴とするので、請求項４と同様の作用・効果に加えて、前記３点支持によるキャニスタの自立性が得られ、キャニスタの腐食等が未然に回避できるという利点が得られる。
【図面の簡単な説明】
【図１】本発明の第１実施例を示すキャスクの縦断面図である。
【図２】本発明の第２実施例を示すキャスクの縦断面図である。
【図３】本発明の第３実施例を示すキャスクの縦断面図である。
【図４】本発明の第４実施例を示すキャスクの縦断面図である。
【図５】従来のキャスクの縦断面図である。
【符号の説明】
１　キャニスタ
２　コンクリート
３Ａ，３Ｂ　鉄板
４　キャスク
５　支持部材
６　スライディングパッド
６ａ　鉄板
６ｂ　黒鉛
１０　衝撃緩和材
２０　接触治具
２１　ばね
２２　ダンパ
２３　当て板
２４　ゴム
３０　支持台
３１　球面座
４０　ばね
【図１】
2004028939.tif 000003
【図２】
2004028939.tif 000004
【図３】
2004028939.tif 000005
【図４】
2004028939.tif 000006
【図５】
2004028939.tif 000007